(57)【要約】【課題】アドレス時に打球の方向性を定めるために、クラウン部に設けた傾斜面の視認性を向上することが可能なゴルフクラブヘッド及びその製造方法を提供する。【解決手段】本発明に係るゴルフクラブヘッドは、フェース部と、クラウン部と、ソール部と、を備え、前記クラウン部は、前記フェース部の少なくとも一部に沿ってトゥ−ヒール方向に延びる第１領域と、前記第１領域よりもバック側に配置される第２領域と、を備え、前記第１領域と第２領域との間には、トゥ−ヒール方向に延び、バック側へいくにしたがって下方に向かう傾斜面が形成されており、前記傾斜面には、当該傾斜面と対応する形状に形成されるとともに、前記第１領域及び第２領域とは異なる色の転写シートが貼付けられている。【選択図】図２
2018108184.tif 000002
【特許請求の範囲】
【請求項１】
フェース部と、
クラウン部と、
ソール部と、
を備え、
前記クラウン部は、
前記フェース部の少なくとも一部に沿ってトゥ−ヒール方向に延びる第１領域と、
前記第１領域よりもバック側に配置される第２領域と、
を備え、
前記第１領域と第２領域との間には、トゥ−ヒール方向に延び、バック側へいくにしたがって下方に向かう傾斜面が形成されており、
前記傾斜面には、当該傾斜面と対応する形状に形成されるとともに、前記第１領域及び第２領域とは異なる色の転写シートが貼付けられている、ゴルフクラブヘッド。
【請求項２】
前記第１領域は、前記第２領域よりも高い位置に配置されている、請求項１に記載のゴルフクラブヘッド。
【請求項３】
前記傾斜面により、前記第１領域の後端縁と前記第２領域の前端縁とが連結されている、請求項１または２に記載のゴルフクラブヘッド。
【請求項４】
前記第１領域と前記第２領域との間に、トゥ−ヒール方向に延びる溝が形成されており、
当該溝の内壁面の１つが前記傾斜面により構成されている、請求項１または２に記載のゴルフクラブヘッド。
【請求項５】
平面視において、前記傾斜面のフェース−バック方向の幅は、３〜９ｍｍである、請求項１から４のいずれかに記載のゴルフクラブヘッド。
【請求項６】
前記フェース部のトゥ−ヒール方向の中心からトゥ方向に３０ｍｍ離れた第１点と対応する前記傾斜面のフェース−バック方向の平面視のトゥ側幅が、前記中心からヒール方向に３０ｍｍ離れた第２点と対応する前記傾斜面のフェースバック方向の平面視のヒール側幅よりも大きく、
前記トゥ側幅とヒール側幅との差が、３〜７ｍｍである、請求項１から５のいずれかに記載のゴルフクラブヘッド。
【請求項７】
フェース部と、クラウン部と、ソール部と、を備え、前記クラウン部は、前記フェース部の少なくとも一部に沿ってトゥ−ヒール方向に延びる第１領域と、前記第１領域よりもバック側に配置される第２領域と、を備え、前記第１領域と第２領域との間には、トゥ−ヒール方向に延び、バック側へいくにしたがって下方に向かう傾斜面が形成されている、ゴルフクラブヘッド基材を準備するステップと、
前記傾斜面に、当該傾斜面と対応する形状を有し、前記第１領域及び第２領域とは異なる色の転写シートを貼付けるステップと、
を備えている、ゴルフクラブヘッドの製造方法。
【請求項８】
少なくとも、前記転写シートを覆うクリア層を塗布するステップをさらに備えている、請求項７に記載のゴルフクラブヘッドの製造方法。
【発明の詳細な説明】
【技術分野】
【０００１】
本発明は、ゴルフクラブヘッド及びその製造方法に関する。
【背景技術】
【０００２】
近年、クラウン部に隆起部を設け、隆起部とその後方部分との間の段差として傾斜面を形成したゴルフクラブヘッドが提案されている。例えば、特許文献１に記載のゴルフクラブヘッドでは、このようなクラウン部の段差（傾斜面）に偏光塗料が塗装されている。この段差をゴルファーが視認することで、アドレス時に打球の方向性を定めやすくなっている。
【先行技術文献】
【特許文献】
【０００３】
【特許文献１】特開２０１５−２９６２８号公報
【発明の概要】
【発明が解決しようとする課題】
【０００４】
特許文献１に記載のゴルフクラブヘッドでは、偏光塗料を塗布することで段差の視認性を上げることもできる。しかしながら、偏光塗料を塗布した場合、段差の視認性は太陽の光の向きに依存するため、視認性を確実に向上することは難しい。さらに、段差にのみに塗装を行うことも考えられるが、段差部にのみ正確に塗装を行うことは容易ではなく、生産性が低下したり、歩留まりが悪化する可能性もある。本発明は、上記問題を解決するためになされたものであり、アドレス時に打球の方向性を定めるために、クラウン部に設けた段差（傾斜面）の視認性を向上することが可能なゴルフクラブヘッド及びその製造方法を提供することを目的とする。
【課題を解決するための手段】
【０００５】
本発明に係るゴルフクラブヘッドは、フェース部と、クラウン部と、ソール部と、を備え、前記クラウン部は、前記フェース部の少なくとも一部に沿ってトゥ−ヒール方向に延びる第１領域と、前記第１領域よりもバック側に配置される第２領域と、を備え、前記第１領域と第２領域との間には、トゥ−ヒール方向に延び、バック側へいくにしたがって下方に向かう傾斜面が形成されており、前記傾斜面には、当該傾斜面と対応する形状に形成されるとともに、前記第１領域及び第２領域とは異なる色の転写シートが貼付けられている。
【０００６】
上記ゴルフクラブヘッドにおいて、前記第１領域は、前記第２領域よりも高い位置に配置することができる。
【０００７】
上記各ゴルフクラブヘッドにおいては、前記傾斜面により、前記第１領域の後端縁と前記第２領域の前端縁とが連結されるように構成することができる。
【０００８】
上記各ゴルフクラブヘッドにおいては、前記第１領域と前記第２領域との間に、トゥ−ヒール方向に延びる溝を形成することができ、当該溝の内壁面の１つが前記傾斜面により構成することができる。
【０００９】
上記各ゴルフクラブヘッドでは、平面視において、前記傾斜面のフェース−バック方向の幅を、３〜９ｍｍとすることができる。
【００１０】
上記各ゴルフクラブヘッドでは、前記フェース部のトゥ−ヒール方向の中心からトゥ方向に３０ｍｍ離れた第１点と対応する前記傾斜面のフェース−バック方向の平面視のトゥ側幅が、前記中心からヒール方向に３０ｍｍ離れた第２点と対応する前記傾斜面のフェースバック方向の平面視のヒール側幅よりも大きくし、前記トゥ側幅とヒール側幅との差を、３〜７ｍｍとすることができる。
【００１１】
本発明に係るゴルフクラブヘッドの製造方法は、フェース部と、クラウン部と、ソール部と、を備え、前記クラウン部は、前記フェース部の少なくとも一部に沿ってトゥ−ヒール方向に延びる第１領域と、前記第１領域よりもバック側に配置される第２領域と、を備え、前記第１領域と第２領域との間には、トゥ−ヒール方向に延び、バック側へいくにしたがって下方に向かう傾斜面が形成されている、ゴルフクラブヘッド基材を準備するステップと、前記傾斜面に、当該傾斜面と対応する形状を有し、前記第１領域及び第２領域とは異なる色の転写シートを貼付けるステップと、を備えている。
【００１２】
上記ゴルフクラブヘッドの製造方法では、少なくとも、前記転写シートを覆うクリア層を塗布するステップをさらに備えることができる。
【発明の効果】
【００１３】
本発明によれば、アドレス時に打球の方向性を定めるために、クラウン部に設けた傾斜面の視認性を向上することができる。
【図面の簡単な説明】
【００１４】
【図１】本実施形態に係るゴルフクラブヘッドの斜視図である。
【図２】図１のヘッドの基準状態での平面図である。
【図３】図２のＡ−Ａ線断面図である。
【図４Ａ】フェース部の境界を説明する図である。
【図４Ｂ】フェース部の境界を説明する図である。
【図５】図１ゴルフクラブヘッドをヒール側からみた斜視図である。
【図６】熱転写シート材の一例を示す断面図である。
【図７】水転写シート材の一例を示す断面図である。
【図８】クラウン部の他の例を示す断面図である。
【図９】クラウン部の他の例を示す断面図である。
【発明を実施するための形態】
【００１５】
以下、本発明に係るゴルフクラブヘッドの一実施形態について、図面を参照しつつ説明する。図１は、このゴルフクラブヘッドの斜視図、図２は、ヘッドの基準状態での平面図、図３は、図２のＡ−Ａ線断面図である。なお、ゴルフクラブヘッドの基準状態については、後述する。
【００１６】
＜１．ゴルフクラブヘッドの概要＞
図１〜図３に示すように、このゴルフクラブヘッド（以下、単に「ヘッド」ということがある）１００は、内部空間を有する中空構造であり、フェース部１、クラウン部２、ソール部３、及びホーゼル部４によって壁面が形成されたウッド型のゴルフクラブヘッドである。具体的には、ユーティリティ、フェアウェイウッド、ドライバーといったゴルフクラブヘッドに適用することができる。
【００１７】
フェース部１は、ボールを打球する面であるフェース面を有しており、クラウン部２はフェース部１と隣接し、ヘッド１００の上面を構成する。ソール部３は、主としてヘッド１００の底面を構成し、フェース部１とクラウン部２以外のヘッド１００の外周面を構成する。すなわち、ヘッド１００の底面のほか、フェース部１のトウ側からヘッドのバック側を通りフェース部１のヒール側へと延びる部位もソール部３の一部である。さらに、ホーゼル部４は、クラウン部２のヒール側に隣接して設けられる部位であり、ゴルフクラブのシャフト（図示省略）が挿入される挿入孔４１を有している。そして、この挿入孔４１の中心軸線Ｚは、シャフトの軸線に一致している。
【００１８】
ここで、ゴルフクラブヘッド１００を地面に設置するときの基準状態について説明する。まず、図２及び図３に示すように、上記中心軸線Ｚが地面に対して垂直な平面Ｐ１に含まれ、且つ所定のライ角及びリアルロフト角で地面上にヘッドが載置された状態を基準状態と規定する。そして、上記平面Ｐ１を基準垂直面と称する。また、図２に示すように、上記基準垂直面Ｐ１と地面との交線の方向をトゥ−ヒール方向と称し、このトゥ−ヒール方向に対して垂直であり且つ地面に対して平行な方向をフェース−バック方向と称することとする。
【００１９】
本実施形態において、フェース部１とクラウン部２、及びフェース部１とソール部３との境界は、次のように定義することができる。すなわち、両者の間に稜線が形成されている場合には、これが境界となる。一方、明確な稜線が形成されていない場合には、図４Ａに示されるように、ヘッド重心ＧとスイートスポットＳＳとを結ぶ直線Ｎを含む各断面Ｅ１、Ｅ２、Ｅ３…において、図４Ｂに示されるように、フェース外面輪郭線Ｌｆの曲率半径ｒがスイートスポット側からフェース外側に向かって初めて２００ｍｍとなる位置Ｐｅがフェース部１の周縁となり、これがクラウン部２またはソール部３との境界として定義される。なお、スイートスポットＳＳとは、ヘッド重心Ｇを通るフェース面の法線（直線Ｎ）とこのフェース面との交点である。
【００２０】
また、本実施形態において、クラウン部２とソール部３との境界は次のように定義することができる。すなわち、クラウン部２とソール部３との間に稜線が形成されている場合には、これが境界となる。一方、これらの間に明確な稜線が形成されていない場合には、ヘッドを基準状態に設置し、これをヘッド１００の重心の真上から見たときの輪郭が境界となる。
【００２１】
また、ヘッド１００は、例えば、比重がほぼ４．４〜４．５程度のチタン合金（Ｔｉ−６Ａｌ−４Ｖ）で形成することができる。また、チタン合金以外にも、例えばステンレス鋼、マレージング鋼、アルミニウム合金、マグネシウム合金、またはアモルファス合金などの中から１種または２種以上を用いて形成することもできる。
【００２２】
また、このゴルフクラブヘッド１００の体積は、例えば、９０ｃｍ3以上４６０ｃｍ3以下である。
【００２３】
＜２．ゴルフクラブヘッドの組立構造＞
本実施形態に係るゴルフクラブヘッド１００は、図３に示すように、クラウン部２及びソール部３を有するヘッド本体１０１と、フェース部１及びその周縁から延びる周縁部１５を有するカップ状に形成されたフェース用部材１０２と、を組み立てることで構成される。このヘッド本体１０１は、クラウン部２及びソール部３で囲まれた開口１８を有し、この開口１８を塞ぐようにフェース用部材１０２が取り付けられる。すなわち、フェース用部材１０２の周縁部１５の端面が、ヘッド本体１０１の開口１８の端面と突き合わされ、これらが、溶接によって接合される（いわゆるカップフェース構造）。そして、フェース用部材１０２は、ヘッド本体１０１の開口１８の縁部に取付けられることで、ヘッド本体１０１と一体化され、これによって、フェース用部材１０２の周縁部１５は、ヘッド１００のクラウン部２及びソール部３の一部として機能する。
【００２４】
したがって、フェース用部材１０２の周縁部１５がヘッド本体１０１に取付けられることで一体的に形成される面が、ヘッド１００のクラウン部２及びソール部３を構成する。そのため、厳密には、ヘッド本体１０１のクラウン部２及びソール部３は、ヘッド１００のクラウン部２及びソール部３の一部ではあるが、本明細書では、これらを区別することなく、ヘッド本体１０１の各部も、単にクラウン部２、ソール部３と称することがある。
【００２５】
＜３．クラウン部の構造＞
続いて、図５も参照しつつ、クラウン部２について説明する。図５は、本実施形態に係るゴルフクラブヘッドをヒール側からみた斜視図である。図１〜図３及び図５に示すように、クラウン部２は、フェース部側に配置される隆起部（第１領域）２１と、隆起部２１よりもバック側に配置される基部（第２領域）２２とで、構成されている。隆起部２１は、主として、フェース部１に沿ってトゥ−ヒール方向に延びる帯状の領域であり、トゥ側及びヒール側の両端部は、クラウン部２の周縁に沿ってややバック側へ延びており、全体として平面視Ｕ字状に形成されている。一方、基部２２は、隆起部２１よりも低い位置でクラウン部２の大半を占める領域であり、その周縁はソール部３と接している。そして、隆起部２１と基部２２との境界には段差を構成する傾斜面２３が形成されている。これにより、隆起部２１と基部２２との段差の分だけ、フェース部１の上下方向の高さが高くなっている。
【００２６】
この傾斜面２３は、フェース部１側にいくにしたがって、上方に延びるように構成されている。これにより、ゴルフクラブヘッド１００を基準状態で設置したとき、上方から傾斜面２３を視認することができる。すなわち、アドレスに入ったゴルファーから視認可能となっている。そして、傾斜面２３は、隆起部２１に沿って形成されているため、隆起部２１と同様に、平面視Ｕ字状に形成されている。
【００２７】
図２に示すように、隆起部２１のフェース−バック方向の幅Ｄは、例えば、平面視において、５〜２０ｍｍとすることが好ましく、７〜１５ｍｍとすることがさらに好ましい。さらに、隆起部２１の幅については、次のように規定することができる。すなわち、図２に示すように、フェース部１のトゥ−ヒール方向の中心Ｃ（フェースセンター）からトゥ側に３０ｍｍの第１点Ｋ１と対応する隆起部２１のフェース−バック方向の平面視の幅（トゥ側幅）Ｄ１、及び中心Ｃからヒール側に３０ｍｍの第２点Ｋ２と対応する隆起部２１のフェースバック方向の平面視の幅（ヒール側幅）Ｄ２を規定する。そして、幅Ｄ１を幅Ｄ２よりも広くし、その差を、３〜７ｍｍとすることができる。
【００２８】
なお、フェースセンターとは、以下のように定義することができる。まず、フェース部１（フェース面）上において、トゥ−ヒール方向および上下方向の概ね中央付近で任意の点Ｐｏを決定する。この点Ｐｏを通りトゥ−ヒール方向に延びる線ｘを引き、この線ｘの中点Ｐｘを決定する。続いて、フェース部１上において、点Ｐｘを通り上下方向に延びる線ｙを引き、この線の中点Ｐｙを決定する。そして、こうして決定された点Ｐｙを通りトゥ−ヒール方向に延びる線を線ｘとして引き直し、その後上記と同様にして点Ｐｙを決定し直す工程を繰り返す。この工程の繰り返しの中で、前回の点Ｐｙと新たな点Ｐｙとの間の距離が１ｍｍ以下となったときの当該新たな点Ｐｙが、フェースセンターと定義される。なお、より詳細には、上記の点Ｐｏを通る線ｘは、この点Ｐｏを通るフェース面の法線を含みかつトゥ−ヒール方向に平行な平面と、フェース面（フェース部１の表面）との交線である。また、より詳細には、上記の点Ｐｘを通る線ｙは、この点Ｐｘを通るフェース面の法線を含みかつ上下方向に平行な平面と、フェース面との交線である。また、より詳細には、上記の点Ｐｙを通る線ｘは、この点Ｐｙを通るフェース面の法線を含みかつトゥ−ヒール方向に平行な平面と、フェース面との交線である。なお、上記線ｘおよび線ｙの長さの測定は、フェース面に沿って測定される。
【００２９】
このように、幅Ｄ１を幅Ｄ２よりも広くすることで、次のような効果を得ることができる。すなわち、ゴルファーがアドレスに入ったとき、ゴルファーからすると、ゴルフクラブヘッド１００のトゥ側が遠いため、隆起部２１のトゥ側の幅はヒール側の幅に比べて小さく見える。そのため、ゴルファーが違和感を感じるおそれがある。そこで、上記のように、トゥ側の幅Ｄ１を広くすると、ゴルファーは、トゥ側とヒール側とで隆起部２１の幅に差が生じないように見える。よって、アドレス時に隆起部２１を見たときに違和感を小さくすることができる。但し、幅の差が大きすぎると、トゥ側が広く見え、幅の差が小さすぎると、トゥ側が狭く見えるため、差を上記のように設定することが好ましい。
【００３０】
また、図３に示すように、傾斜面２３の平面視におけるフェース−バック方向の幅Ｗは、例えば、３〜９ｍｍとすることが好ましく、３〜７ｍｍであることがさらに好ましい。さらに、傾斜面２３の高さＨは、例えば、０．５〜５ｍｍとすることが好ましく、０．５〜４ｍｍとすることがさらに好ましく、０．５〜２ｍｍとすることが特に好ましい。
【００３１】
＜４．傾斜に貼付けられる転写シート＞
本実施形態においては、傾斜面２３に転写シート６が貼り付けられている。以下、この点について詳述する。転写シート６は、種々のものを用いることができ、例えば、以下のような公知の熱転写シート、水転写シートなどを用いることができる。
【００３２】
＜４−１．熱転写シート＞
熱転写シート（あるいは熱転写箔と呼ばれる）は、次のように作成することができる。まず、図６に示すように、転写基材７１の一方の面に、透明保護層７２、印刷層７３、及び接着層７４をこの順で積層した転写用シート材７を準備する。このうち、透明保護層７２、印刷層７３、及び接着層７４が転写シート６を構成し、傾斜面２３とほぼ同じ形状に形成されている。
【００３３】
転写基材７１は、シート状に形成され、転写時の熱や圧力に耐えうるものであれば特には限定されないが、例えば、ポリエチレンテレフタレートなど樹脂材料で形成することができる。また、透明保護層７２は、転写基材７１に対して、剥離可能に積層されたものであり、印刷層７３が積層されるものである。例えば、イソシアネート化合物やシランカップリング剤を適用することができる。また、透明保護層７２と転写基材７１との間に別途剥離層を設けることもできる。印刷層７３は、透明保護層７２上に、グラビア印刷、シルクスクリーン印刷、オフセット印刷等の公知の印刷等による形成方法及び材料で色を形成した層である。この印刷層７３の色が、傾斜面２３に着色される色となる。そして、接着層７４は、透明保護層７２及び印刷層７３を傾斜面２３に転写し、接着するための層である。接着層７４としては、例えば、公知の熱可塑性樹脂、硬化性樹脂等を用いることができる。
【００３４】
以上のように構成された熱転写用シート材は、次のように使用される。まず、接着層７４を傾斜面２３側に向け、印刷層７３が傾斜面２３と対応する位置に配置されるように位置決めする。そして、転写基材７１に熱圧を付与し、接着層７４を傾斜面２３に接着する。その後、転写基材７１を剥離すると、接着層７４、印刷層７３、及び透明保護層７２がこの順で積層された転写シート６が、傾斜面２３を覆うように配置される。
【００３５】
＜４−２．水転写シート＞
水転写シート（あるいは水転写箔と呼ばれる）は、次のように作成することができる。まず、図７に示すように、カバーコート層８１、印刷層８２、接着層８３、及び紙製の基材８４がこの順で積層した水転写用シート材８を準備する。このうち、カバーコート層８１、印刷層８２、及び接着層８３が転写シート６を構成し、傾斜面２３とほぼ同じ形状に形成されている。
【００３６】
カバーコート層８１は、アクリルなどの樹脂材料で形成されており、印刷層８２は、このカバーコート層８１に、グラビア印刷、シルクスクリーン印刷、オフセット印刷等の公知の印刷等による形成方法及び材料で色を形成した層である。この印刷層８２の色が、傾斜面２３に着色される色となる。また、接着層８３は、水溶性の糊により形成されている。そして、基材８４は、水分を吸収可能な紙で形成されている。
【００３７】
以上のように構成された水転写用シート材は、次のように使用される。まず、水転写用シート材８を水に浸す。これにより、基材８４に水が浸入し、接着層８３である水溶性の糊の一部が溶解する。これにより、転写シート６を構成するカバーコート層８１、印刷層８２、及び接着層８３が、基材８４上でスライド可能となる。そして、転写シート６を基材８４からクラウン部２上に移動させ、傾斜面２３上で位置決めする。その後、転写シート６を乾燥させると、接着層８３が傾斜面２３に固定される。
【００３８】
以上のような、転写シート６の色、すなわち、印刷層７３，８２の色は、特には限定されないが、少なくともクラウン部２の色とは異なる色であることが必要である。また、転写シート６には、例えば、文字や図形が描画されていてもよい。なお、以上の転写シート６の構成は一例であり、公知の種々の転写シートあるいは転写箔と呼ばれるシートを利用することができる。また、転写シート６または転写箔を構成する材料も特には限定されず、上記のような樹脂材料、塗料のほか、金属層を含んでいてもよい。
【００３９】
＜５．ゴルフクラブヘッドの製造方法＞
次に、上記のゴルフクラブヘッドの製造方法の一例について説明する。まず、上述したヘッド本体１０１とフェース用部材１０２とを準備する。このようなヘッド本体１０１及びフェース用部材１０２は、種々の方法で作製することができる。例えば、ヘッド本体１０１は、公知のロストワックス精密鋳造法などの鋳造によって製造することができる。また、フェース用部材１０２は、例えば、鍛造製法や、平板のプレス加工、鋳造等により製造することができる。そして、これらを、例えば、溶接（ＴＩＧ（タングステン−不活性ガス）溶接、プラズマ溶接、レーザー溶接、ロウ付けなど）により接合すると、ゴルフクラブヘッド基材が完成する。
【００４０】
続いて、このゴルフクラブヘッド基材に塗装を施す。塗装は複数回行うことができる。そして、塗装が施された後に、傾斜面２３に上記のように転写シート６を貼付ける。その後、必要に応じて、ゴルフクラブヘッド基材全体に、クリア層を塗布することもできる。クリア層は、主として光沢を奏するための塗料であり、例えば、ウレタン樹脂を基材とする樹脂で形成することができる。こうして、ゴルフクラブヘッドが完成する。
【００４１】
＜６．特徴＞
以上の実施形態によれば、次の効果を得ることができる。
【００４２】
(1) 本実施形態では、クラウン部２を、ソール部３と接する基部２２と、フェース部１との境界に沿ってトゥ−ヒール方向に延び、基部２２から傾斜面２３を形成して隆起する隆起部２１と、で構成しているため、ゴルファーは、隆起部２１と基部２２との境界である傾斜面２３を視認することができる。したがって、アドレス時に打球の方向性を定めることができる。特に、傾斜面２３には、クラウン部２と色の異なる転写シート６を貼付けているため、太陽の光の向きにかかわらず、転写シート６が貼付けられた傾斜面２３を視認することができる。したがって、アドレス時に打球の方向性が定めやすくなる。言い換えれば、目標方向に対してフェース面の向きを合わせやすくなる。
【００４３】
(2) クラウン部２において、隆起部２１が基部２２よりも、傾斜面２３を介して高く形成されているため、隆起部２１が高くなった分だけ、フェース部１の高さを高くすることができる。そのため、フェース部１における反発性能を向上することができる。また、クラウン部２においては、隆起部２１のみが高く形成され、クラウン部２の大半を占める基部２２は隆起部２１よりも低い位置に形成されているため、ヘッドの重心を低くすることができる。
【００４４】
(3) 転写シート６は、傾斜面２３と概ね同じ形状に形成されているため、例えば、傾斜面２３に塗装をするよりも簡易に傾斜面２３に着色することができる。すなわち、傾斜面２３に塗装を施そうとすると、傾斜面２３から塗料がはみ出るなどの不具合が生じるおそれがある。これに対して、転写シート６は傾斜面２３と同じ形状であり、位置決めも容易であることから、転写シート６により、傾斜面２３の形状に合わせて確実に着色することができる。これにより、コストを低減でき、製造工程も簡素化することができる。
【００４５】
＜５．変形例＞
以上、本発明の一実施形態について説明したが、本発明は上記実施形態に限定されるものではなく、その趣旨を逸脱しない限りにおいて、種々の変更が可能である。また、以下の変形例は、適宜組み合わせることができる。例えば、以下の変更が可能である。
【００４６】
＜５−１＞
上記実施形態では、隆起部２１及び傾斜面２３を平面視Ｕ字状に形成しているが、これに限定されるものではなく、概ねトゥ−ヒール方向に延びるものであればよい。したがって、例えば、トゥ−ヒール方向に概ね真っ直ぐに延びる帯状に形成することもできる。また、傾斜面２３は、アドレス時に上方から視認できように、少なくともバック側にいくにしたがって下方に延びる面であればよく、必ずしも平面でなくてもよい。例えば、傾斜面を曲面状に形成することもできる。
【００４７】
＜５−２＞
隆起部２１と基部２２との間の傾斜面２３の形態は特には限定されない。例えば、図８に示すように、隆起部２１と基部２２との間に溝９を形成し、この溝９の内壁面のうち、隆起部２１の後端縁２１１から基部２２側にいくにしたがって、下方に傾斜する傾斜面９１に、上述した転写シート６を貼付けることもできる。また、溝９の断面形状は特には限定されず、例えば、断面矩形状に形成するほか、曲面状に形成することもできる。
【００４８】
＜５−３＞
隆起部２１の後端縁２１１と基部２２の前端縁２２１の高さは図８に示すように、隆起部２１側を高くする以外に、例えば、図９に示すように、隆起部２１の後端縁２１１と基部２２の前端縁２２１の高さを同じにすることもできる。
【００４９】
＜５−４＞
上記実施形態に係るヘッドは、少なくともクラウン部２を有するヘッド本体と、他の部分を組み合わせることで構成されていたが、クラウン部２のみを別体で形成するヘッドに対しても適用することができる。例えば、フェース部、サイド部、及びソール部を備え、クラウン部用の開口が形成されたヘッド本体に対し、クラウン部を開口に嵌め込んでヘッドを構成することかできる。また、カップフェース構造でなくてもよく、平坦なフェース用部材をヘッド本体に固定することもできる。
【符号の説明】
【００５０】
１  フェース部
２  クラウン部
２１  隆起部（第１領域）
２２  基部（第２領域）
２３  傾斜面
３  ソール部
４  ホーゼル部
【図１】
2018108184.tif 000003
【図２】
2018108184.tif 000004
【図３】
2018108184.tif 000005
【図４Ａ】
2018108184.tif 000006
【図４Ｂ】
2018108184.tif 000007
【図５】
2018108184.tif 000008
【図６】
2018108184.tif 000009
【図７】
2018108184.tif 000010
【図８】
2018108184.tif 000011
【図９】
2018108184.tif 000012